(57)【要約】【課題】処理液のｐＨを水道水の水質基準である、５．８〜８．６の範囲内としつつ、さらにコストを低減した実用的な水の精製用の陰イオン交換樹脂の再生方法を実現する。【解決手段】再生液として、弱酸由来の陰イオンとアルカリ金属イオン又はアルカリ土類金属イオンとからなる塩を１種類以上含み、且つハロゲン化物イオンとアルカリ金属イオン又はアルカリ土類金属イオンとからなる塩を１種類以上含む水溶液を用いる。【選択図】なし【特許請求の範囲】
【請求項１】
陰イオン交換樹脂を再生液と接触させることにより再生する方法において、該再生液として、弱酸由来の陰イオンとアルカリ金属イオン又はアルカリ土類金属イオンとからなる塩を１種類以上含み、且つハロゲン化物イオンとアルカリ金属イオン又はアルカリ土類金属イオンとからなる塩を１種類以上含む水溶液を用いることを特徴とする陰イオン交換樹脂の再生方法。
【請求項２】
前記弱酸由来の陰イオンとアルカリ金属イオン又はアルカリ土類金属イオンとからなる塩の塩基解離定数（ｐＫｂ）が、１〜１２であることを特徴とする、請求項１に記載の陰イオン交換樹脂の再生方法。
【請求項３】
前記弱酸由来の陰イオンとアルカリ金属イオン又はアルカリ土類金属イオンとからなる塩の濃度が、前記再生液中の水に対して、０．１重量％〜１５重量％であることを特徴とする、請求項１または２のいずれか１項に記載の陰イオン交換樹脂の再生方法。
【請求項４】
前記ハロゲン化物イオンとアルカリ金属イオン又はアルカリ土類金属イオンとからなる塩の濃度が、前記再生液中の水に対して、１重量％〜２０重量％であることを特徴とする、請求項１〜３のいずれか１項に記載の陰イオン交換樹脂の再生方法。
【請求項５】
前記弱酸由来の陰イオンとアルカリ金属イオン又はアルカリ土類金属イオンとからなる塩が、炭酸塩または重炭酸塩であることを特徴とする、請求項１〜４のいずれか１項に記載の陰イオン交換樹脂の再生方法。
【発明の詳細な説明】
【技術分野】
【０００１】
本発明は陰イオン交換樹脂の再生方法に関する。
【背景技術】
【０００２】
原水から硝酸性イオン及び硫酸性イオンを除去するのに用いられる陰イオン交換樹脂の再生液として、溶媒に対する溶質の割合が１〜１０重量％の塩化ナトリウム水溶液が使用されている。しかし、塩化ナトリウム水溶液を再生液として使用する再生方法では、再生された陰イオン交換樹脂を使用して原水から硝酸性イオン及び硫酸性イオンを除去して得られる処理液のｐＨが低下する。
【０００３】
ところで、陰イオン交換樹脂の再生方法としては、水の精製に関する技術ではないが、天然ガス等のガス精製工程等において酸成分を吸収したアミン液の二次再生に用いられるイオン交換樹脂の再生に関し、炭酸ガス、ＳＯＸ、ＮＯＸおよび他の酸成分を吸着した陰イオン交換樹脂を再生する方法として、再生液として炭酸塩及び／又は重炭酸塩を含む水溶液を用いる方法が知られている（特許文献１）。
【０００４】
また、排煙脱硫排水中に含まれる有機物成分を吸着した陰イオン交換樹脂の再生方法として、塩化ナトリウム水溶液に、水酸化ナトリウム水溶液を加えた再生液を使用する方法が知られている（特許文献２）。
【０００５】
また、熱的に再生可能な両性イオン交換樹脂を使用して、重炭酸イオン又は重亜硫酸イオンを含む塩水溶液を脱イオン処理する技術に関し、重炭酸イオン又は重亜硫酸イオンが熱的手段による両性イオン交換樹脂の再生を低減させるという問題を解決するために、重炭酸イオン等を含む脱イオンプロセスからの生成物として得られる塩水溶液を再生液として用い、脱イオン処理下にある塩水溶液よりもｐＨで約２、より酸性の再生液で処理することが知られている（特許文献３）。
【先行技術文献】
【特許文献】
【０００６】
【特許文献１】特開２０１３−１８４０８７号公報（２０１３年９月１９日公開）
【特許文献２】特開２００９−１６５９８５号公報（２００９年７月３０日公開）
【特許文献３】特公昭６１−５１９２９号公報（１９８６年１１月１１日公開）
【発明の概要】
【発明が解決しようとする課題】
【０００７】
しかしながら、前述した従来技術はいずれも水の精製に関する技術ではなく、処理液のｐＨを水道水の水質基準である、５．８〜８．６の範囲内としつつ、さらにコストを低減した実用的な水の精製用の陰イオン交換樹脂の再生方法としては用いることはできない。
【０００８】
すなわち、特許文献１に記載の方法では再生効率が低く、多量の再生剤が必要となるため、コスト高になるなどの問題がある。また、再生効率を上げるために、過剰量の炭酸塩及び／又は重炭酸塩を用いると、処理液のｐＨが増加し、水道水質基準を逸脱する問題もある。
【０００９】
特許文献２に記載の方法を用いれば、強塩基性化合物を添加していることから、処理液のｐＨが大幅に増加し、水道水質基準を逸脱する恐れがある。
【００１０】
また、特許文献３においては、再生対象となるイオン交換樹脂が熱的に再生可能な両性イオン交換樹脂であり、重炭酸イオン又は重亜硫酸イオンによる熱的な再生の低減の問題を解決するために、再生液は脱イオン処理下にある塩水溶液よりも酸性である必要があるため、塩酸を添加するとともに二酸化炭素を通過させている。したがって、当該方法では処理液のｐＨ低下を抑制することができない。
【００１１】
本発明は、前記の問題点に鑑みてなされたものであり、その目的は、処理液のｐＨを水道水の水質基準である、５．８〜８．６の範囲内としつつ、さらにコストを低減した実用的な水の精製用の陰イオン交換樹脂の再生方法を実現することにある。
【課題を解決するための手段】
【００１２】
本発明に係る陰イオン交換樹脂の再生方法は、上記課題を解決するために、陰イオン交換樹脂を再生液と接触させることにより再生する方法において、該再生液として、弱酸由来の陰イオンとアルカリ金属イオン又はアルカリ土類金属イオンとからなる塩を１種類以上含み、且つハロゲン化物イオンとアルカリ金属イオン又はアルカリ土類金属イオンとからなる塩を１種類以上含む水溶液を用いることを特徴としている。
【００１３】
本発明に係る陰イオン交換樹脂の再生方法では、前記弱酸由来の陰イオンとアルカリ金属イオン又はアルカリ土類金属イオンとからなる塩の塩基解離定数（ｐＫｂ）が、１〜１２であることが好ましい。
【００１４】
本発明に係る陰イオン交換樹脂の再生方法では、前記弱酸由来の陰イオンとアルカリ金属イオン又はアルカリ土類金属イオンとからなる塩の濃度が、前記再生液中の水に対して、０．１重量％〜１５重量％であることが好ましい。
【００１５】
本発明に係る陰イオン交換樹脂の再生方法では、前記ハロゲン化物イオンとアルカリ金属イオン又はアルカリ土類金属イオンとからなる塩の濃度が、前記再生液中の水に対して、１重量％〜２０重量％であることが好ましい。
【００１６】
本発明に係る陰イオン交換樹脂の再生方法では、前記弱酸由来の陰イオンとアルカリ金属イオン又はアルカリ土類金属イオンとからなる塩が、炭酸塩または重炭酸塩であることが好ましい。
【発明の効果】
【００１７】
本発明に係る陰イオン交換樹脂の再生方法は、以上のように、上記課題を解決するために、陰イオン交換樹脂を再生液と接触させることにより再生する方法において、該再生液として、弱酸由来の陰イオンとアルカリ金属イオン又はアルカリ土類金属イオンとからなる塩を１種類以上含み、且つハロゲン化物イオンとアルカリ金属イオン又はアルカリ土類金属イオンとからなる塩を１種類以上含む水溶液を用いるという構成を備えているので、処理液のｐＨを水道水の水質基準である、５．８〜８．６の範囲内としつつ、さらにコストを低減した実用的な水の精製用の陰イオン交換樹脂の再生方法を実現することができるという効果を奏する。
【発明を実施するための形態】
【００１８】
以下、本発明の実施の形態について、詳細に説明する。なお、本明細書において特記しない限り、数値範囲を表す「Ａ〜Ｂ」は、「Ａ以上、Ｂ以下」を意味する。
【００１９】
本発明の再生方法では、再生液として、弱酸由来の陰イオンとアルカリ金属イオン又はアルカリ土類金属イオンとからなる塩を１種類以上含み、且つハロゲン化物イオンとアルカリ金属イオン又はアルカリ土類金属イオンとからなる塩を１種類以上含む水溶液を用いる。再生液中に、弱酸由来の陰イオンとアルカリ金属イオン又はアルカリ土類金属イオンとからなる塩と、ハロゲン化物イオンとアルカリ金属イオン又はアルカリ土類金属イオンとからなる塩とが混在することによって、陰イオン交換樹脂の再生率が向上するとともに、処理液のｐＨを水道水の水質基準である、５．８〜８．６の範囲内とすることができる。
【００２０】
水道水の精製用に用いられる陰イオン交換樹脂の再生液としては、通常、塩化ナトリウム水溶液が使用されている。しかし、前述したように、塩化ナトリウム水溶液を再生液として使用する再生方法では、再生された陰イオン交換樹脂を使用して原水から硝酸性イオン及び硫酸性イオンを除去して得られる処理液のｐＨが低下する。そのため、ｐＨが水道水質基準の下限である５．８となるまで、陰イオン交換樹脂再生後の初期の処理液を流出させたのち、又は、塔出口にｐＨ調整装置を取り付け、苛性ソーダにて中和したのち、処理液を採水することが通常行われており、初期の処理水を捨てずに、又は中和作業を無くして採水しようとする発想はなかった。
【００２１】
本発明者らは、陰イオン交換樹脂再生後、初期の処理水を捨てずに、又は中和せずに採水しようとする新しい発想の下、陰イオン交換樹脂再生後の初期から、処理液のｐＨを水道水の水質基準である、５．８〜８．６の範囲内とすることができないかと考えた。そして、再生液として、弱酸由来の陰イオンとアルカリ金属イオン又はアルカリ土類金属イオンとからなる塩を１種類以上含み、且つハロゲン化物イオンとアルカリ金属イオン又はアルカリ土類金属イオンとからなる塩を１種類以上含む水溶液を用いることにより、かかる課題を解決でできることを見出した。すなわち、上記構成によれば、塩化ナトリウム水溶液を再生液として使用する再生方法において起こる処理液のｐＨ低下を回避することができ、陰イオン交換樹脂再生後の初期から、処理液のｐＨを水道水の水質基準である、５．８〜８．６の範囲内とすることができる。
【００２２】
なお、本発明において、「再生液」とは、陰イオン交換樹脂と接触させることにより陰イオン交換樹脂を再生するための液を指し、本発明では水溶液である。また、本発明において「再生剤」とは、再生液に含まれる、弱酸由来の陰イオンとアルカリ金属イオン又はアルカリ土類金属イオンとからなる１種類以上の塩、及び、ハロゲン化物イオンとアルカリ金属イオン又はアルカリ土類金属イオンとからなる１種類以上塩を指すものとする。
【００２３】
また、本発明において、「原水」とは、陰イオン交換樹脂による脱イオン処理に供される液を意味し、「処理液」とは、原水を陰イオン交換樹脂と接触させて、脱イオン処理した結果得られる液を意味する。
【００２４】
また、本発明において、「弱酸」とは、ｐＫａ（酸解離定数）が０よりも大きい化合物のことを指す。
【００２５】
本発明において、弱酸由来の陰イオンとしては、これに限定されるものではないが、より好ましくは、炭酸イオン、重炭酸イオン、リン酸イオン、リン酸水素イオン等を挙げることができる。また、アルカリ金属イオンとしては、特に限定されるものではないが、Ｌｉ＋、Ｎａ＋、Ｋ＋であることが好ましい。また、アルカリ土類金属イオンとしては、特に限定されるものではないが、Ｍｇ２＋、Ｃａ２＋であることが好ましい。また、ハロゲン化物イオンとしては、特に限定されるものではないが、Ｃｌ−であることが好ましい。
【００２６】
本発明で使用する弱酸由来の陰イオンとアルカリ金属イオン又はアルカリ土類金属イオンとからなる塩としては、特に限定されるものではないが、より好ましい例としては、例えば、炭酸ナトリウム、炭酸カリウム等の炭酸塩；炭酸水素ナトリウム、炭酸水素カリウム等の重炭酸塩；リン酸ナトリウム、リン酸カリウム等のリン酸塩を挙げることができ、中でも、安価で入手し易いことから、炭酸ナトリウム、炭酸水素ナトリウムがより好適に使用される。これらは、一種または複数種を混合して使用することができる。
【００２７】
本発明で使用する弱酸由来の陰イオンとアルカリ金属イオン又はアルカリ土類金属イオンとからなる塩は、塩基解離定数（ｐＫｂ）が１〜１２の化合物であることが好ましく、ｐＫｂが１〜８の化合物であることがより好ましく、ｐＫｂが１〜４の化合物であることがさらに好ましい。塩基解離定数（ｐＫｂ）が１２以下であれば、処理液のｐＨが低くなりすぎないため好ましい。また、塩基解離定数（ｐＫｂ）が１以上であれば、処理液のｐＨが高くなりすぎないため好ましい。
【００２８】
本発明で使用するハロゲン化物イオンとアルカリ金属イオン又はアルカリ土類金属イオンとからなる塩としても、特に限定されるものではないが、より好ましい例としては、例えば、塩化ナトリウム、塩化カリウム、塩化カルシウム等を挙げることができ、中でも、安価で入手しやすい塩化ナトリウムがより好適に使用される。これらは、一種または複数種を混合して使用することができる。
【００２９】
前記再生液に用いる溶媒は通常は水である。
【００３０】
前記再生液中の前記弱酸由来の陰イオンとアルカリ金属イオン又はアルカリ土類金属イオンとからなる塩の濃度は、前記再生液中の水に対して、通常、０．１重量％〜１５重量％、より好ましくは１重量％〜１０重量％、さらに好ましくは３重量％〜６重量％である。また、前記再生液中の前記ハロゲン化物イオンとアルカリ金属イオン又はアルカリ土類金属イオンとからなる塩の濃度は、前記再生液中の水に対して、通常、１重量％〜２０重量％、より好ましくは、１重量％〜１０重量％、さらに好ましくは５重量％〜１０重量％である。塩の使用量が少な過ぎると陰イオン交換樹脂を十分に再生することができず、多過ぎてもそれ以上の再生効果は望めず、工業的に不利である。
【００３１】
再生液中に含まれる、弱酸由来の陰イオンとアルカリ金属イオン又はアルカリ土類金属イオンとからなる塩の量と、ハロゲン化物イオンとアルカリ金属イオン又はアルカリ土類金属イオンとからなる塩の量との比率（（弱酸由来の陰イオンとアルカリ金属イオン又はアルカリ土類金属イオンとからなる塩の量）／（ハロゲン化物イオンとアルカリ金属イオン又はアルカリ土類金属イオンとからなる塩の量））は、重量比で、１／１００〜１／１が好ましい。
【００３２】
なお、前記塩の濃度、及び塩の量は、弱酸由来の陰イオンとアルカリ金属イオン又はアルカリ土類金属イオンとからなる塩が複数種類含まれる場合はその合計量であり、同様に、ハロゲン化物イオンとアルカリ金属イオン又はアルカリ土類金属イオンとからなる塩が複数種類含まれる場合はその合計量を意味する。
【００３３】
再生液は、水に、前述した再生剤を溶解することにより調製することができる。かかる場合、各再生剤は再生液の調製時にそれぞれ水に溶解してもよいし、予め混合して保存しておき再生液の調製時に混合物を水に溶解してもよい。
【００３４】
なお、本発明において、再生液に用いる溶媒としての水とは、水道水、工業用水、農業用水、河川水、井戸水、地下水、イオン交換水などが挙げられる。
【００３５】
従来原水から硝酸性イオン及び硫酸性イオンを除去するのに用いられる陰イオン交換樹脂の再生液に使用されている塩化ナトリウムは長期保存すると固結するため取扱い性に劣るが、本発明では、再生剤を予め混合して長期保存しても固結が抑制され、保存期間に関係なく再生液を容易に作製することができるというさらなる効果も得られる。
【００３６】
陰イオン交換樹脂と再生液との接触温度は、再生対象となる陰イオン交換樹脂の初期イオン交換容量、吸着している陽イオンの種類等の諸条件を勘案して適宜決定すればよいが、陰イオン交換樹脂の再生は、室温にて実施することが好ましい。なお、本明細書において室温とは、１５℃〜３０℃の範囲をいう。
【００３７】
また、陰イオン交換樹脂を再生液と接触させる方法も、特に限定されるものではなく、浸漬法、流動接触法等のバッチ処理、カラム通液式等を採用することができる。
【００３８】
カラム通液式による陰イオン交換樹脂の再生の場合、カラムに充填した陰イオン交換樹脂容量に対し１〜２０倍容量の再生液を、通液ＳＶが１〜６０となるように通液することがより好ましい。ここで通液ＳＶとは、通液の空間速度（ＳＶ：space velocity）を意味し、空間速度とは、１時間当たりの通液倍量（ＢＶ：bed volume）である。陰イオン交換樹脂の再生に用いる再生液量が少な過ぎると陰イオン交換樹脂を十分に再生することができず、多過ぎてもそれ以上の再生効果は望めず、徒に再生液量、再生時間が増加して不利である。また、通液速度が速過ぎると陰イオン交換樹脂と再生液との接触が十分でないことにより良好な再生効果が得られず、通液速度が過度に遅いと再生に長時間を要し、工業的に不利である。
【００３９】
再生後の陰イオン交換樹脂の洗浄においては、再生液の溶媒と同一のもの、すなわち水を用いることが好ましい。
【００４０】
カラム通液式による陰イオン交換樹脂の再生後の洗浄の場合、カラムに充填した陰イオン交換樹脂量の容量に対し、１〜４０倍量（１〜４０ＢＶ）の洗浄液を、通液ＳＶが５〜３００となるように通液することが好ましい。陰イオン交換樹脂の再生後の洗浄に用いる洗浄液の量が少な過ぎると陰イオン交換樹脂を十分に洗浄することができず、多過ぎてもそれ以上の洗浄効果は望めず、徒に洗浄液量、再生時間が増加して不利である。
【００４１】
本発明において使用する陰イオン交換樹脂としては、例えば、スチレン系、アクリル系又はフェノール系の架橋共重合体からなる樹脂母体に、下記一般式（Ａ）で示される４級アンモニウム塩基が結合した陰イオン交換樹脂を挙げることができる。
【００４２】
−Ａ−Ｎ＋（Ｒ１Ｒ２Ｒ３）Ｘ−      （Ａ）
一般式（Ａ）において、Ａは、炭素数０〜８の直鎖状アルキレン基を表す。Ｒ１は、水酸基で置換されていてもよい炭素数１〜４のアルキル基、Ｒ２及びＲ３は、炭素数１〜４の炭化水素基を表す。Ｘ−は、アンモニウム基に配位した対イオンを表す。
【００４３】
Ａの直鎖状アルキレン基としては、例えば、メチレン基、エチレン基、プロピレン基、ブチレン基、ペンチレン基、ヘキシレン基等が挙げられる。Ｒ１、Ｒ２及びＲ３の具体例としては、例えば、メチル基、エチル基、プロピル基、ブチル基等が挙げられる。
【００４４】
Ｘ−としては、例えば、Ｃｌ−、Ｂｒ−、Ｉ−等のハロゲンイオン；硫酸イオン、ＮＯ３−、ＯＨ−、ｐ−トルエンスルホン酸イオン等の陰イオンが挙げられる。ここで、陰イオンが硫酸イオン等の２価である場合、一般式（Ａ）で表される構造単位２個に対して、陰イオン１個が結合する。
【００４５】
一般式（Ａ）において、Ａは、炭素数が１のアルキレン基が好ましく、Ｒ２及びＲ３は、メチル基であることがより好ましい。さらに、４級アンモニウム塩基としては、Ｒ１が、メチル基であるトリメチルアンモニウム塩基（Ｉ型強塩基性陰イオン交換樹脂）、またはＲ１が、ヒドロキシエチル基であるジメチルヒドロキシエチルアンモニウム塩基（ＩＩ型強塩基性陰イオン交換樹脂）がより好ましい。
【００４６】
本発明において使用する陰イオン交換樹脂のより具体的な一例としては、例えば、ダウ・ケミカル社のデュオライト（登録商標）Ａ１０９Ｄ、Ａ１１３ＭＢ、Ａ１１３ＬＦ、Ａ１１６、Ａ１１６ＬＦ、Ａ１６１ＪＣＬ、Ａ１６２ＬＦ、ＩＭＡＣＨＰ５５５；アンバーライト（登録商標）ＩＲＡ４００Ｊ、ＩＲＡ４０２ＢＬ、ＩＲＡ９００Ｊ、ＩＲＡ４５８ＲＦ、ＩＲＡ９１０ＣＴ、ＩＲＡ９５８、ＩＲＡ４１０；ダウエックス（登録商標）ＭＡＲＡＴＨＯＮ  Ａ、ＭＡＲＡＴＨＯＮ  ＭＳＡ、５５０Ａ、２２、ＭＳＡ−２、ＭＡＲＡＴＨＯＮ  Ａ２；三菱化学株式会社のダイヤイオン（登録商標）ＳＡ１０Ａ、ＳＡ１１Ａ、ＳＡ１２Ａ、ＳＡ２０Ａ、ＰＡ３１２、ＳＡ３１６、ＳＡ３１８Ｌ、ＰＡ４１２、ＰＡ４１８；ランクセス社のレバチット（登録商標）ＭｏｎｏＰｌｕｓＭ５００、ＭｏｎｏＰｌｕｓＭ８００、ＭｏｎｏＰｌｕｓＭＰ８００、ＭｏｎｏＰｌｕｓＭ６００、ＭｏｎｏＰｌｕｓＭＰ６００；ピュロライト社のピュロライト（登録商標）Ａ２００、Ａ３００、Ａ４００、Ａ５００、Ａ６００、Ａ５２０Ｅ等を挙げることができる。
【００４７】
前記陰イオン交換樹脂の形状も粒子状であれば特に限定されるものではないが、例えば、球形、破砕状等である。また、平均粒子径も特に限定されるものではないが、例えば、０．１ｍｍ〜２ｍｍの陰イオン交換樹脂を好適に用いることができる。
【００４８】
本発明に使用する陰イオン交換樹脂は、上述したような市販の換樹脂を用いてもよいし、従来公知の陰イオン交換樹脂の製造方法により製造してもよい。例えば、スチレン系樹脂を樹脂母体とする強塩基性陰イオン交換樹脂は、樹脂母体に例えばクロロメチル基等のハロアルキル基を導入し、これに公知の方法で３級アミンを反応させる方法により製造することができる。
【００４９】
本発明の再生方法は、水の精製用に用いられる陰イオン交換樹脂に好適に用いることができる。ここで、水の精製には、水道水、湧水、工業用水、農業用水、河川水、井戸水、地下水の精製が含まれる。本発明の再生方法によれば、再生された陰イオン交換樹脂を用いて水の精製を行ったときに、陰イオン交換樹脂再生後の初期から、処理液のｐＨを、水道水の水質基準である５．８〜８．６の範囲内、さらには６〜８の範囲内に調整することができる。
【実施例】
【００５０】
以下に、実施例および比較例によって本発明をより具体的に説明するが、本発明はこれに限定されるものではない。
【００５１】
〔実施例１〕
（１）陰イオン交換樹脂のコンディショニング
スチレン系の陰イオン交換樹脂であるＡ１１６ＬＦ（販売元：住化ケムテックス株式会社）をカラムに充填した。カラムに充填した陰イオン交換樹脂の容量は５０ｍｌであった。この陰イオン交換樹脂に、２ｍｏｌ／Ｌの水酸化ナトリウム水溶液５００ｍＬを約４５分通液後、イオン交換水５００ｍｌで約１５分洗浄を行った。その後、５％塩化ナトリウム水溶液５００ｍｌを約１．５時間通液し、イオン交換水５００ｍｌで約３０分洗浄を行った。
【００５２】
（２）陰イオン交換樹脂の再生
イオン交換水１５０ｍｌに１５ｇの塩化ナトリウム及び７．５ｇの炭酸ナトリウムを溶解させ、（１）にてコンディショニングを行った陰イオン交換樹脂に、３０分通液させた。その後、約２５０ｍｌのイオン交換水で洗浄を行った。
【００５３】
（３）標準液の作製
１５Ｌのイオン交換水に、塩化カルシウム０．７ｇ、硫酸ナトリウム０．７ｇ、炭酸水素ナトリウム０．６ｇ、硝酸ナトリウム０．５ｇを溶解させた。作製した標準液のｐＨは７．３であった。
【００５４】
（４）通液試験
標準液を（２）にて再生を行った陰イオン交換樹脂に空間速度（ＳＶ）１３で通液した。一定時間毎に通液した処理液のｐＨを測定した。なお、ｐＨの測定は、堀場製作所製のＨＯＲＩＢＡ Ｆ−５４を用いて行った。得られた結果を表１に示す。
【００５５】
〔実施例２〕
「（２）陰イオン交換樹脂の再生」の工程で、イオン交換水１５０ｍｌに１５ｇの塩化ナトリウム及び１．５ｇの炭酸ナトリウムを溶解させたこと以外は、実施例１と同様の方法で、一連の操作を行い、通液試験を実施した。得られた結果を表１に示す。
【００５６】
〔実施例３〕
「（２）陰イオン交換樹脂の再生」の工程で、イオン交換水１５０ｍｌに１５ｇの塩化ナトリウム及び０．１５ｇの炭酸ナトリウムを溶解させたこと以外は、実施例１と同様の方法で、一連の操作を行い、通液試験を実施した。得られた結果を表１に示す。
【００５７】
〔比較例１〕
「（２）陰イオン交換樹脂の再生」の工程で、イオン交換水１５０ｍｌに１５ｇの塩化ナトリウムのみを溶解させ、炭酸ナトリウムを加えなかったこと以外は、実施例１と同様の方法で、一連の操作を行い、通液試験を実施した。得られた結果を表１に示す。
【００５８】
〔比較例２〕
「（２）陰イオン交換樹脂の再生」の工程で、イオン交換水１５０ｍｌに１５ｇの炭酸ナトリウムのみを溶解させ、塩化ナトリウムを加えなかったこと以外は、実施例１と同様の方法で、一連の操作を行い、通液試験を実施した。得られた結果を表１に示す。
【００５９】
【表１】
2017100112.tif 000002
【産業上の利用可能性】
【００６０】
本発明に係る陰イオン交換樹脂の再生方法によれば、再生された陰イオン交換樹脂を使用して水を処理して得られる処理液のｐＨを６．０〜８．０の範囲内に制御することができる。それゆえに、水の精製において、通液初期から採水が可能となり、単位樹脂量当たりの採水量を増加することができる。また、排水の処理にかかる費用も減らすことができることから、コスト的に非常に有用である。また、再生剤を長期保存しても固結が抑制され、保存期間に関係なく再生液を容易に作製することができる。